(57)【特許請求の範囲】
【請求項１】
第１及び第２の光伝送装置の間を接続する第１の光通信線路に対して第２の光通信線路の両端部を第１及び第２の光カプラにより結合して構成される二重化光線路について、前記第１及び第２の光伝送装置の間で通信を行っている前記第１の光通信線路から前記第２の光通信線路へ切り替えるために使用される遅延量調整装置であって、
前記第２の光通信線路の前記第１の光カプラ側に介在するものであって、
前記第２の光伝送装置から出射され前記第２の光カプラにより前記第２の光通信線路に分岐された第１の信号光を、前記第１の信号光とは波長が異なる第１の試験光へ波長変換して、前記第１の光伝送装置へ出射する第１の波長変換手段と、
前記第２の光通信線路に分岐された前記第１の信号光を指定時間遅延して、前記第１の光伝送装置へ出射する第１の可変遅延手段と
を有する第１の伝搬時間差調整器と、
前記第１の光カプラに接続され、前記第２の光カプラにより前記第１の光通信線路に分岐された前記第１の信号光と前記第１の伝搬時間差調整器から出射される前記第１の試験光とを比較することで、前記第１の光通信線路の伝搬時間と前記第２の光通信線路の伝搬時間との差である第１の伝搬時間差を測定し、前記第１の可変遅延手段の遅延時間を前記測定した第１の伝搬時間差相当に設定する第１の伝搬時間差測定器と、
前記第２の光通信線路の前記第２の光カプラ側に介在するものであって、
前記第１の光伝送装置から出射され前記第１の光カプラにより前記第２の光通信線路に分岐された第２の信号光を、前記第２の信号光とは波長が異なる第２の試験光へ波長変換して、前記第２の光伝送装置へ出射する第２の波長変換手段と、
前記第２の光通信線路に分岐された前記第２の信号光を指定時間遅延して、前記第２の光伝送装置へ出射する第２の可変遅延手段と
を有する第２の伝搬時間差調整器と、
前記第２の光カプラに接続され、前記第１の光カプラにより前記第１の光通信線路に分岐された前記第２の信号光と前記第２の伝搬時間差調整器から出射される前記第２の試験光とを比較することで、前記第１の光通信線路の伝搬時間と前記第２の光通信線路の伝搬時間との差である第２の伝搬時間差を測定し、前記第２の可変遅延手段の遅延時間を前記測定した第２の伝搬時間差相当に設定する第２の伝搬時間差測定器とを具備し、
前記第１の光カプラと前記第１の伝搬時間差調整器との距離をＬ３、前記第１の光カプラと前記第１の伝搬時間差測定器との距離をＬ４、前記第１の光カプラと前記第１の光伝送装置との距離をＬ５とし、前記第１の信号光の波長に基づき算出される群速度をｖ１、前記第１の伝搬時間差調整器の前記第１の可変遅延手段から出力される第１の信号光の波長に基づき算出される群速度をｖ１’、前記第１の試験光の波長に基づき算出される群速度をｖMEA、前記第１の光伝送装置の許容遅延誤差ΔＫ１とするとき、
【数１】
0006364336.tif 000006
を満たす前記第１の光カプラに対する前記第１の光伝送装置との相対位置、前記第１の光カプラに対する前記第１の伝搬時間差調整器との相対位置、前記第１の光カプラに対する前記第１の伝搬時間差測定器との相対位置を設定し、
前記第２の光カプラと前記第２の伝搬時間差調整器との距離をＬ６、前記第２の光カプラと前記第２の伝搬時間差測定器との距離をＬ７、前記第２の光カプラと前記第２の光伝送装置との距離をＬ８とし、前記第２の信号光の波長に基づき算出される群速度をｖ２、前記第２の伝搬時間差調整器の前記第２の可変遅延手段から出力される第２の信号光の波長に基づき算出される群速度をｖ２’、前記第２の試験光の波長に基づき算出される群速度をｖMEA、前記第２の光伝送装置の許容遅延誤差ΔＫ２とするとき、
【数２】
0006364336.tif 000007
を満たす前記第２の光カプラに対する前記第２の光伝送装置との相対位置、前記第２の光カプラに対する前記第２の伝搬時間差調整器との相対位置、前記第２の光カプラに対する前記第２の伝搬時間差測定器との相対位置を設定することを特徴とする遅延量調整装置。
【請求項２】
前記第１の伝搬時間差調整器は、
前記第１の光カプラで分岐される前記第２の信号光を通過させる第１の通過経路と、
前記第１の信号光を前記第１の波長変換手段及び前記第１の可変遅延手段に分岐し、前記第１の通過経路を通過した第２の信号光を前記第２の光伝送装置へ出射する第３の光カプラと、
前記第１の波長変換手段から出射される前記第１の試験光及び前記第１の可変遅延手段から出射される前記第１の信号光を前記第１の光伝送装置へ出射し、前記第１の光カプラで分岐される前記第２の信号光を前記第１の通過経路へ分岐する第４の光カプラと、
前記第２の信号光の前記第１の波長変換手段及び前記第１の可変遅延手段への入射を遮断する第１の遮断手段と、
前記第１の信号光の前記第１の通過経路への入射を遮断する第２の遮断手段とを備え、
前記第２の伝搬時間差調整器は、
前記第２の光カプラで分岐される前記第１の信号光を通過させる第２の通過経路と、
前記第２の信号光を前記第２の波長変換手段及び前記第２の可変遅延手段に分岐し、前記第２の通過経路を通過した第１の信号光を前記第１の光伝送装置へ出射する第５の光カプラと、
前記第２の波長変換手段から出射される前記第２の試験光及び前記第２の可変遅延手段から出射される前記第２の信号光を前記第２の光伝送装置へ出射し、前記第２の光カプラで分岐される前記第１の信号光を前記第２の通過経路へ分岐する第６の光カプラと、
前記第１の信号光の前記第２の波長変換手段及び前記第２の可変遅延手段への入射を遮断する第３の遮断手段と、
前記第２の信号光の前記第２の通過経路への入射を遮断する第４の遮断手段とを備えることを特徴とする請求項１に記載の遅延量調整装置。
【請求項３】
前記第１の伝搬時間差調整器は、
前記第１の光カプラで分岐される前記第２の信号光を通過させる第１の通過経路と、
前記第１の信号光を前記第１の波長変換手段及び前記第１の可変遅延手段に選択的に分岐し、前記第１の通過経路を通過した第２の信号光を前記第２の光伝送装置へ選択的に出射する第１の波長選択型カプラと、
前記第１の波長変換手段から出射される前記第１の試験光及び前記第１の可変遅延手段から出射される前記第１の信号光を前記第１の光伝送装置へ選択的に出射し、前記第１の光カプラで分岐される前記第２の信号光を前記第１の通過経路へ選択的に分岐する第２の波長選択型カプラとを備え、
前記第２の伝搬時間差調整器は、
前記第２の光カプラで分岐される前記第１の信号光を通過させる第２の通過経路と、
前記第２の信号光を前記第２の波長変換手段及び前記第２の可変遅延手段に選択的に分岐し、前記第２の通過経路を通過した第１の信号光を前記第１の光伝送装置へ選択的に出射する第３の波長選択型カプラと、
前記第２の波長変換手段から出射される前記第２の試験光及び前記第２の可変遅延手段から出射される前記第２の信号光を前記第２の光伝送装置へ選択的に出射し、前記第２の光カプラで分岐される前記第１の信号光を前記第２の通過経路へ選択的に分岐する第４の波長選択型カプラとを備えることを特徴とする請求項１に記載の遅延量調整装置。
【請求項４】
前記第１の光通信線路が切断された後に、第１及び第２の光伝送装置の間を接続する第２の光通信線路に対して第３の光通信線路の両端部を第１及び第２の光カプラにより結合し、前記第１及び第２の光伝送装置の間で通信を行っている前記第２の光通信線路から前記第３の光通信線路へ切り替えるとき、
前記第３の光通信線路の前記第１の光カプラ側に介在するものであって、前記第２の光伝送装置から出射され前記第２の光カプラにより前記第３の光通信線路に分岐された第１の信号光を、第３の試験光へ波長変換して、前記第１の光伝送装置へ出射する第１の波長変換器と、
前記第３の光通信線路の前記第２の光カプラ側に介在するものであって、前記第１の光伝送装置から出射され前記第１の光カプラにより前記第３の光通信線路に分岐された第２の信号光を、第４の試験光へ波長変換して、前記第２の光伝送装置へ出射する第２の波長変換器とを具備し、
前記第１の伝搬時間差測定器は、前記第２の光カプラにより前記第２の光通信線路に分岐された前記第１の信号光と前記第１の波長変換器から出射される前記第３の試験光とを比較することで、前記第２の光通信線路の伝搬時間と前記第３の光通信線路の伝搬時間との差である第３の伝搬時間差を測定し、前記第１の可変遅延手段の遅延時間を前記測定した第３の伝搬時間差相当に設定し、
前記第２の伝搬時間差測定器は、前記第１の光カプラにより前記第２の光通信線路に分岐された前記第２の信号光と前記第１の波長変換器から出射される前記第３の試験光とを比較することで、前記第２の光通信線路の伝搬時間と前記第３の光通信線路の伝搬時間との差である第４の伝搬時間差を測定し、前記第２の可変遅延手段の遅延時間を前記測定した第４の伝搬時間差相当に設定し、
前記第１の光カプラと前記第１の波長変換器との距離をＬ１０、前記第３の試験光の波長に基づき算出される群速度をｖMEA’、前記第２の光通信線路及び前記第３の光通信線路を用いた前記第１の信号光の二重化時における伝搬時間誤差ΔＫ３とするとき、
【数３】
0006364336.tif 000008
を満たすように前記第１の光カプラと前記第１の波長変換器との相対位置を設定し、
前記第２の光カプラと前記第２の波長変換器との距離をＬ１１、前記第２の光通信線路及び前記第３の光通信線路を用いた前記第２の信号光の二重化時における伝搬時間誤差ΔＫ４とするとき、
【数４】
0006364336.tif 000009
を満たすように前記第２の光カプラと前記第２の波長変換器との相対位置を設定することを特徴とする請求項１に記載の遅延量調整装置。
【請求項５】
前記第１の波長変換器は、
前記第１の光カプラで分岐される前記第２の信号光を通過させる第３の通過経路と、
前記第１の信号光を通過させる第４の通過経路と、
前記第１の信号光を前記第３の試験光へ波長変換する変換部及び前記第４の通過経路へ前記第１の信号光を分岐し、前記第３の通過経路を通過した第２の信号光を前記第２の光伝送装置へ出射する第７の光カプラと、
前記変換部から出射される前記第３の試験光及び前記第４の通過経路を通過した前記第１の信号光を前記第１の光伝送装置へ出射し、前記第１の光カプラで分岐される前記第２の信号光を前記第３の通過経路へ分岐する第８の光カプラと、
前記第２の信号光の前記変換部及び前記第４の通過経路への入射を遮断する第５の遮断手段と、
前記第１の信号光の前記第３の通過経路への入射を遮断する第６の遮断手段とを備え、
前記第２の波長変換器は、
前記第２の光カプラで分岐される前記第１の信号光を通過させる第５の通過経路と、
前記第２の信号光を通過させる第６の通過経路と、
前記第２の信号光を前記第４の試験光へ波長変換する変換部及び前記第６の通過経路へ前記第２の信号光を分岐し、前記第５の通過経路を通過した第１の信号光を前記第１の光伝送装置へ出射する第９の光カプラと、
前記第４の試験光及び前記第６の通過経路を通過した前記第２の信号光を前記第２の光伝送装置へ出射し、前記第２の光カプラで分岐される前記第１の信号光を前記第５の通過経路へ分岐する第１０の光カプラと、
前記第１の信号光の前記変換部及び前記第６の通過経路への入射を遮断する第７の遮断手段と、
前記第２の信号光の前記第５の通過経路への入射を遮断する第８の遮断手段とを備えることを特徴とする請求項４に記載の遅延量調整装置。
【請求項６】
前記第１の波長変換器は、
前記第１の光カプラで分岐される前記第２の信号光を通過させる第３の通過経路と、
前記第１の信号光を通過させる第４の通過経路と、
前記第１の信号光を前記第３の試験光へ波長変換する変換部及び前記第４の通過経路へ前記第１の信号光を選択的に分岐し、前記第３の通過経路を通過した第２の信号光を前記第２の光伝送装置へ選択的に出射する第５の波長選択型光カプラと、
前記変換部から出射される前記第３の試験光及び前記第４の通過経路を通過した前記第１の信号光を前記第１の光伝送装置へ選択的に出射し、前記第１の光カプラで分岐される前記第２の信号光を前記第３の通過経路へ選択的に分岐する第６の波長選択型光カプラとを備え、
前記第２の波長変換器は、
前記第２の光カプラで分岐される前記第１の信号光を通過させる第５の通過経路と、
前記第２の信号光を通過させる第６の通過経路と、
前記第２の信号光を前記第４の試験光へ波長変換する変換部及び前記第６の通過経路へ前記第２の信号光を選択的に分岐し、前記第５の通過経路を通過した第１の信号光を前記第１の光伝送装置へ選択的に出射する第７の波長選択型光カプラと、
前記第４の試験光及び前記第６の通過経路を通過した前記第２の信号光を前記第２の光伝送装置へ選択的に出射し、前記第２の光カプラで分岐される前記第１の信号光を前記第５の通過経路へ選択的に分岐する第８の波長選択型光カプラとを備えることを特徴とする請求項４に記載の遅延量調整装置。
【請求項７】
第１及び第２の光伝送装置の間を接続する第１の光通信線路に対して第２の光通信線路の両端部を第１及び第２の光カプラにより結合して構成される二重化光線路について、前記第１及び第２の光伝送装置の間で通信を行っている前記第１の光通信線路から前記第２の光通信線路へ切り替える光線路切替方法であって、
前記第２の光通信線路の前記第１の光カプラ側において、前記第２の光伝送装置から出射され前記第２の光カプラにより前記第２の光通信線路に分岐された第１の信号光を、第１の試験光へ波長変換して、前記第１の光伝送装置へ出射する第１の工程と、
前記第２の光カプラにより前記第１の光通信線路に分岐された前記第１の信号光と第１の伝搬時間差調整器から出射される前記第１の試験光とを比較することで、前記第１の光通信線路の伝搬時間と前記第２の光通信線路の伝搬時間との差である第１の伝搬時間差を測定する第２の工程と、
前記第２の光通信線路に分岐された前記第１の信号光を、前記測定した第１の伝搬時間差相当の時間遅延して、前記第１の光伝送装置へ出射する第３の工程と、
前記第２の光通信線路の前記第２の光カプラ側において、前記第１の光伝送装置から出射され前記第１の光カプラにより前記第２の光通信線路に分岐された第２の信号光を、第２の試験光へ波長変換して、前記第２の光伝送装置へ出射する第４の工程と、
前記第１の光カプラにより前記第１の光通信線路に分岐された前記第２の信号光と第２の伝搬時間差調整器から出射される前記第２の試験光とを比較することで、前記第１の光通信線路の伝搬時間と前記第２の光通信線路の伝搬時間との差である第２の伝搬時間差を測定する第５の工程と、
前記第２の光通信線路に分岐された前記第２の信号光を、前記測定した第２の伝搬時間差相当の時間遅延して、前記第２の光伝送装置へ出射する第６の工程と、
遅延時間調整後に、前記第１の光通信線路及び前記第２の光通信線路を用いて、前記第１の光伝送装置から送出される前記第１の信号光及び前記第２の光伝送装置から送出される前記第２の信号光を通信させた後、前記第１及び第２の光伝送装置の間を接続する前記第１の光通信線路を前記第２の光通信線路に移し替える第７の工程とを具備することを特徴とする光線路切替方法。
【請求項８】
前記第１の光通信線路が切断された後に、第１及び第２の光伝送装置の間を接続する第２の光通信線路に対して第３の光通信線路の両端部を第１及び第２の光カプラにより結合し、前記第１及び第２の光伝送装置の間で通信を行っている前記第２の光通信線路から前記第３の光通信線路へ切り替えるとき、
前記第２の光伝送装置から出射され前記第２の光カプラにより前記第３の光通信線路に分岐された第１の信号光を、第３の試験光へ波長変換して、前記第１の光伝送装置へ出射する第８の工程と、
前記第１の光伝送装置から出射され前記第１の光カプラにより前記第３の光通信線路に分岐された第２の信号光を、第４の試験光へ波長変換して、前記第２の光伝送装置へ出射する第９の工程と、
前記第２の光カプラにより前記第２の光通信線路に分岐された前記第１の信号光と前記第３の試験光とを比較することで、前記第２の光通信線路の伝搬時間と前記第３の光通信線路の伝搬時間との差である第３の伝搬時間差を測定する第１０の工程と、
前記第３の光通信線路に分岐された前記第１の信号光を、前記第１０の工程で測定した前記第３の伝搬時間差相当の時間遅延して前記第１の光伝送装置へ出射する第１１の工程と、
前記第１の光カプラにより前記第２の光通信線路に分岐された前記第２の信号光と前記第３の試験光とを比較することで、前記第２の光通信線路の伝搬時間と前記第３の光通信線路の伝搬時間との差である第４の伝搬時間差を測定する第１２の工程と、
前記第３の光通信線路に分岐された前記第２の信号光を、前記第１２の工程で測定した前記第４の伝搬時間差相当の時間遅延して前記第２の光伝送装置へ出射する第１３の工程と、
遅延時間調整後に、前記第２の光通信線路及び前記第３の光通信線路を用いて、前記第１の光伝送装置から送出される前記第１の信号光及び前記第２の光伝送装置から送出される前記第２の信号光を通信させた後、前記第１及び第２の光伝送装置の間を接続する前記第２の光通信線路を前記第３の光通信線路に移し替える第１４の工程とを具備することを特徴とする請求項７に記載の光線路切替方法。
【発明の詳細な説明】
【技術分野】
【０００１】
本発明は、支障移転工事等における光線路切替時の一時的な迂回路を構成するための光線路二重化技術に関する。
【背景技術】
【０００２】
近年、光通信網の支障移転工事等において、通信サービスを途絶させることなく既設伝送路から迂回伝送路に通信回線を移転させることを可能とするサービス無瞬断切替技術が開発されている。この技術では、迂回伝送路を用意して、既設伝送路に接続し、一時的に伝送路を二重化した後に、既設伝送路側の通信光を遮断することにより迂回伝送路への移転を図るものである。二重化する伝送路区間に光路長差がある場合には、光路長差に起因する遅延により、光の位相ずれによる光干渉が発生するため、既設伝送路と迂回伝送路との遅延量を所定の許容範囲内に収めるための遅延量調整技術が必要になる。
【０００３】
従来技術としては、迂回伝送路に分波した上り通信光を通信光とは異なる波長（即ち、伝送装置の受信帯域を超える波長、加入者側の光フィルタにて遮断する波長）の試験光に変換し、既設伝送路の通信光と迂回伝送路の試験光との伝搬時間差から光路長差に起因する遅延量を求める遅延量測定器と、その遅延量に基づいて、一方の伝送路の通信光に遅延を与える遅延量調整器とを用いる遅延量調整方法などが提案されている（非特許文献１）。
【先行技術文献】
【特許文献】
【０００４】
【特許文献１】特許第３５７３６０６号公報「光ファイバケーブル３点切替接続システム」
【特許文献２】特許第０５１１５９９５号公報「光線路切替方法及び装置」
【非特許文献】
【０００５】
【非特許文献１】東他：  “光アクセス媒体切り替え方式の基本検討”，信学技報， OFT2008-52, pp. 27-31, 2008.
【発明の概要】
【発明が解決しようとする課題】
【０００６】
しかしながら、光ファイバ中を伝搬する光速度はその光波長に依存し、波長の長い光ほど伝搬速度が速くなるため、通信光とは波長が大きく異なる試験光を用いて測定した遅延量に基づく、通信光の遅延量調整方法では、測定区間長が長距離になるほど伝搬速度の違いに起因する誤差が無視できないレベルになり、二重化伝送路通信が実現できない場合があるという問題があった。
【０００７】
そこで、本発明は、上記の事情を鑑みてなされたもので、伝搬速度に起因する誤差を許容遅延量以内に抑制し得る二重化光線路の遅延量調整装置及び光線路切替方法を提供することを目的とする。
【課題を解決するための手段】
【０００８】
上記目的を達成するために、本発明に係る二重化光線路の遅延量調整装置は、第１及び第２の光伝送装置の間を接続する第１の光通信線路に対して第２の光通信線路の両端部を第１及び第２の光カプラにより結合して構成される二重化光線路について、前記第１及び第２の光伝送装置の間で通信を行っている前記第１の光通信線路から前記第２の光通信線路へ切り替えるために使用される遅延量調整装置を対象にしている。
【０００９】
そして、前記第２の光通信線路の前記第１の光カプラ側に介在するものであって、前記第２の光伝送装置から出射され前記第２の光カプラにより前記第２の光通信線路に分岐された第１の信号光を、第１の試験光へ波長変換する第１の波長変換手段と、前記第２の光通信線路に分岐された前記第１の信号光を指定時間遅延して出射する第１の可変遅延手段とを有する第１の伝搬時間差調整器と、前記第１の光カプラに接続され、前記第２の光カプラにより前記第１の光通信線路に分岐された前記第１の信号光と、前記第１の伝搬時間差調整器から出射される前記第１の試験光とを比較することで、前記第１の信号光が前記第１の光伝送装置に到着するまでの伝搬時間差を測定し、前記第１の可変遅延手段の遅延時間を前記測定した伝搬時間差相当に設定する第１の伝搬時間差測定器と、前記第２の光通信線路の前記第２の光カプラ側に介在するものであって、前記第１の光伝送装置から出射され前記第１の光カプラにより前記第２の光通信線路に分岐された第２の信号光を、第２の試験光へ波長変換する第２の波長変換手段と、前記第２の光通信線路に分岐された前記第２の信号光を指定時間遅延して出射する第２の可変遅延手段とを有する第２の伝搬時間差調整器と、前記第２の光カプラに接続され、前記第１の光カプラにより前記第１の光通信線路に分岐された前記第２の信号光と、前記第２の伝搬時間差調整器から出射される前記第２の試験光とを比較することで、前記第１の信号光が前記第１の光伝送装置に到着するまでの伝搬時間差を測定し、前記第１の可変遅延手段の遅延時間を前記測定した伝搬時間差相当に設定する第２の伝搬時間差測定器とを備えるようにしている。
【００１０】
前記第１の光カプラと前記第１の伝搬時間差調整器との距離をＬ３、前記第１の光カプラと前記第１の伝搬時間差測定器との距離をＬ４、前記第１の光カプラと前記第１の光伝送装置との距離をＬ５とし、前記第１の信号光の波長に基づき算出される群速度をｖ１、前記第１の伝搬時間差調整器から出力される第１の信号光の波長に基づき算出される群速度をｖ１’、前記第１の試験光の波長に基づき算出される群速度をｖMEAとして、Ｌ３、Ｌ４、Ｌ５、ｖ１、ｖ１’、ｖMEAから前記第１の光伝送装置の許容遅延誤差ΔＫ１が算出されるとき、前記第１の光伝送装置の許容遅延誤差ΔＫ１内に収まるように、前記第１の光カプラに対する前記第１の光伝送装置との相対位置、前記第１の光カプラに対する前記第１の伝搬時間差調整器との相対位置、前記第１の光カプラに対する前記第１の伝搬時間差測定器との相対位置を設定するようにしている。
【００１１】
前記第２の光カプラと前記第２の伝搬時間差調整器との距離をＬ６、前記第２の光カプラと前記第２の伝搬時間差測定器との距離をＬ７、前記第２の光カプラと前記第２の光伝送装置との距離をＬ８とし、前記第２の信号光の波長に基づき算出される群速度をｖ２、前記第２の伝搬時間差調整器から出力される第２の信号光の波長に基づき算出される群速度をｖ２’、前記第２の試験光の波長に基づき算出される群速度をｖMEAとして、Ｌ６、Ｌ７、Ｌ８、ｖ２、ｖ２’、ｖMEAから、前記第２の光伝送装置の許容遅延誤差ΔＫ２が算出されるとき、前記第２の光伝送装置の許容遅延誤差ΔＫ２内に収まるように、前記第２の光カプラに対する前記第２の光伝送装置との相対位置、前記第２の光カプラに対する前記第２の伝搬時間差調整器との相対位置、前記第２の光カプラに対する前記第２の伝搬時間差測定器との相対位置を設定するようにしている。
【００１２】
この構成によれば、第１及び第２の信号光、及び第１及び第２の試験光それぞれの光波長から各光信号の群速度を算出し、光カプラに対する伝送装置、伝搬時間測定器、伝搬時間調整器間の相対位置を限定することで、伝搬速度に起因する誤差を許容遅延量以内に抑制できる。これにより、二重化伝送路の区間長が長距離であっても、高精度に遅延量調整を行うことが可能となり、伝送データの欠落や伝送論理リンクのミスマッチを回避してサービスを継続できる。
【発明の効果】
【００１３】
本発明によれば、伝送データの欠落や伝送論理リンクのミスマッチを回避してサービスを継続できるように、光伝送信号を許容誤差内で一致させる伝搬時間の等しい二重化線路を作り上げる二重化光線路の遅延量調整装置及び光線路切替方法を提供することができる。
【図面の簡単な説明】
【００１４】
【図１】本発明に係る光通信切替システムの第１の実施形態の構成を示すブロック図である。
【図２】上記第１の実施形態において、伝搬時間差調整器の第１の構成を示すブロック図である。
【図３】上記第１の実施形態において、伝搬時間差調整器の第２の構成を示すブロック図である。
【図４】上記第１の実施形態において、伝搬時間差調整器の第１の構成を示すブロック図である。
【図５】上記第１の実施形態において、伝搬時間差調整器の第１の構成を示すブロック図である。
【図６】本発明に係る光通信切替システムの第２の実施形態の構成を示すブロック図である。
【図７】上記第２の実施形態において、波長変換器の第１の構成を示すブロック図である。
【図８】上記第２の実施形態において、波長変換器の第２の構成を示すブロック図である。
【図９】上記第２の実施形態において、波長変換器の第１の構成を示すブロック図である。
【図１０】上記第２の実施形態において、波長変換器の第２の構成を示すブロック図である。
【図１１】本発明の第３の実施形態として、現用線路（第１の光通信線路）および迂回線路（第２の光通信線路）の両方を用いて行う通信の二重化フローチャートである。
【図１２】本発明の第４の実施形態として、迂回線路（第２の光通信線路）および新設線路（第３の光通信線路）の両方を用いて行う通信の二重化フローチャートである。
【発明を実施するための形態】
【００１５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１６】
（第１の実施形態）  
まず、本発明の現用線路（第１の光通信線路）と迂回線路（第２の光通信線路）に係わる、通信の二重化について、図１から図５を用いて説明する。
【００１７】
図１は、本発明における光通信切替システムの第１の実施形態の構成を示すブロック図である。  
同図において、１１は現用線路、１２は迂回線路であり、各線路は光カプラ１３、１４を介して伝送装置１５、１６に接続される。光カプラ１３には伝搬時間差測定器１７と伝搬時間差調整器１９が接続され、光カプラ１４には伝搬時間差測定器１８と伝搬時間差調整器２０が接続される。伝搬時間差調整器１９、２０は迂回線路１２に介在され、それぞれ光カプラ１３、１４の直前に設置される。
【００１８】
図２は、第１の実施形態における伝搬時間差調整器１９の第１の構成を示すブロック図である。  
伝搬時間差調整器１９は、光カプラ１３で分岐される波長λ2の信号光を通過させる第３の支流と、波長λ1の信号光を第１の支流及び第２の支流に分岐し、第３の支流を通過した波長λ2の信号光を伝送装置１６へ出射する光カプラ２５と、第１の支流及び第２の支流を通過した測定光及び波長λ1の信号光を伝送装置１５へ出射し、光カプラ１３で分岐される波長λ2の信号光を第３の支流へ分岐する光カプラ２４と備える。
【００１９】
第１の支流には、波長λ1の信号光を、波長λ1とは異なる波長λMEAを有する測定光（試験光）に波長変換する波長変換器２７と、波長λ2の信号光の波長変換器２７への入射を遮断する光遮断器２９１とが設けられる。
【００２０】
第２の支流には、波長λ1の信号光を、指定され設定可能な遅延量で遅延する可変遅延器２６と、波長λ1の信号光を波長λ1’の信号光に波長変換する波長変換器２８と、波長λ2の信号光の波長変換器２８への入射を遮断する光遮断器２９２とが設けられる。第３の支流には、波長λ1の信号光を遮断する光遮断器３０が設けられる。
【００２１】
伝送装置１６から発信された波長λ1の信号光は、光カプラ２５にて分岐された後、第１の支流において、スイッチ機構３１を閉じて、波長変換器２７にて伝搬時間差を測定するための波長λMEAの測定光へと波長変換される。この時点では、波長λ1の信号光は、各支流において光遮断器２９１、２９２、３０にて遮断されており、伝搬時間差調整器１９からは出力されない。
【００２２】
伝搬時間差測定器１７は、伝送装置１６から発信され現用線路１１を伝搬した波長λ1の信号光と、伝送装置１６から発信され迂回線路１２を伝搬し波長変換器２７にて変換された波長λMEAの測定光を比較することにより、現用線路１１と迂回線路１２の伝搬時間差ΔＴ１を算出する。その情報に従って伝搬時間差調整器１９の第２の支流にある可変遅延器２６の遅延量が調整される。伝搬時間差ΔＴ１を示す情報は、例えば制御回線を介して伝搬時間差測定器１７から伝搬時間差調整器１９へ伝送されることになる。
【００２３】
第２の支流において、スイッチ機構３２を閉じることで、伝送装置１６から発信され迂回線路１２を伝搬した信号光が伝送装置１５に到着し受信されることになる。この時、光カプラ１３で合波された信号光のビート干渉雑音を回避するため、波長変換器２８にて受信帯域以上に波長間隔が設けられるように波長λ1を波長λ1’へと波長変換する。なお、伝送装置１５から発信された波長λ2の信号光は、伝搬時間差調整器１９においては、波長変換や遅延調整の処理を行わず第３の支流を通過する。
【００２４】
この結果、伝送装置１６より発信され、光カプラ１４で分岐された信号光が、現用線路１１と迂回線路１２をそれぞれ伝搬した後、再び光カプラ１３で合波され、許容誤差以内で一致した２つの信号光が伝送装置１５に到着することになる。
【００２５】
図３は、第１の実施形態における伝搬時間差調整器１９の第２の構成を示すブロック図である。  
伝搬時間差調整器１９は、波長λ2の信号光を通過させる第３の支流と、波長λ1の信号光を第１の支流及び第２の支流に分岐し、第３の支流を通過した波長λ2の信号光を伝送装置１６へ出射する波長選択型カプラ５７と、第１の支流及び第２の支流を通過した測定光及び波長λ1の信号光を伝送装置１５へ出射し、光カプラ１３で分岐される波長λ2の信号光を第３の支流へ分岐する波長選択型カプラ５６と備える。
【００２６】
第１の支流には、波長λ1の信号光を、波長λ1とは異なる波長λMEAを有する測定光に波長変換する波長変換器２７が設けられる。
【００２７】
第２の支流には、波長λ1の信号光を、指定され設定可能な遅延量で遅延する可変遅延器２６と、波長λ1の信号光を波長λ1’の信号光に波長変換する波長変換器２８とが設けられる。
【００２８】
伝送装置１６から発信された波長λ1の信号光は、波長選択型カプラ５７により第１および第２の支流に選択的に出力され、光カプラ５８にて分岐された後、第１の支流において、スイッチ機構３１を閉じて、波長変換器２７にて伝搬時間差を測定するための波長λMEAの測定光へと波長変換される。
【００２９】
伝搬時間差測定器１７は、伝送装置１６から発信され現用線路１１を伝搬した波長λ1の信号光と、伝送装置１６から発信され迂回線路１２を伝搬し波長変換器２７にて変換された波長λMEAの測定光を比較することにより、現用線路１１と迂回線路１２の伝搬時間差ΔＴ１を算出する。その情報に従って伝搬時間差調整器１９の第２の支流にある可変遅延器２６の遅延量が調整される。伝搬時間差ΔＴ１を示す情報は、例えば制御回線を介して伝搬時間差測定器１７から伝搬時間差調整器１９へ伝送されることになる。
【００３０】
第２の支流において、スイッチ機構３２を閉じることで、伝送装置１６から発信され迂回線路１２を伝搬した信号光が伝送装置１５に到着し受信されることになる。この時、光カプラ１３で合波された際の信号光のビート干渉雑音を回避するため、波長変換器２８にて受信帯域以上に波長間隔が設けられるように波長λ1を波長λ1’へと波長変換する。
【００３１】
なお、伝送装置１５から発信された波長λ2の信号光は、波長選択型カプラ５６により第３の支流へ選択的に出力され、伝搬時間差調整器１９においては、波長変換や遅延調整の処理を行わず通過する。
【００３２】
この結果、伝送装置１６より発信され、光カプラ１４で分岐された信号光が、現用線路１１と迂回線路１２をそれぞれ伝搬した後、再び光カプラ１３で合波され、許容誤差以内で一致した２つの信号光が伝送装置１５に到着することになる。
【００３３】
図４は、第１の実施形態における伝搬時間差調整器２０の第１の構成を示すブロック図である。  
伝搬時間差調整器２０は、光カプラ１４で分岐される波長λ1の信号光を通過させる第３の支流と、波長λ2の信号光を第１の支流及び第２の支流に分岐し、第３の支流を通過した波長λ1の信号光を伝送装置１５へ出射する光カプラ３３と、第１の支流及び第２の支流を通過した測定光及び波長λ2の信号光を伝送装置１６へ出射し、光カプラ１４で分岐される波長λ1の信号光を第３の支流へ分岐する光カプラ３４と備える。
【００３４】
第１の支流には、波長λ2の信号光を、波長λ2とは異なる波長λMEAを有する測定光（試験光）に波長変換する波長変換器３６と、波長λ1の信号光の波長変換器３６への入射を遮断する光遮断器３８１とが設けられる。
【００３５】
第２の支流には、波長λ2の信号光を、指定され設定可能な遅延量で遅延する可変遅延器３５と、波長λ2の信号光を波長λ2’の信号光に波長変換する波長変換器３７と、波長λ1の信号光の波長変換器３７への入射を遮断する光遮断器３８１とが設けられる。第３の支流には、波長λ2の信号光を遮断する光遮断器３９が設けられる。
【００３６】
伝送装置１５から発信され伝搬時間差調整器１９を通過した波長λ2の信号光は、光カプラ３３にて分岐された後、第１の支流において、スイッチ機構４０を閉じて、波長変換器３６にて伝搬時間差を測定するための波長λMEAの測定光へと波長変換される。この時点では、波長λ2の信号光は各支流において光遮断器３８、３９にて遮断されており、伝搬時間差調整器２０からは出力されない。
【００３７】
伝搬時間差測定器１８は、伝送装置１５から発信され現用線路１１を伝搬した波長λ2の信号光と、伝送装置１６から発信され迂回線路１２を伝搬し波長変換器２７にて変換された波長λMEAの測定光を比較することにより、現用線路１１と迂回線路１２の伝搬時間差ΔＴ２を算出する。その情報に従って伝搬時間差調整器２０の第２の支流にある可変遅延器３５の遅延量が調整される。伝搬時間差ΔＴ２を示す情報は、例えば制御回線を介して伝搬時間差測定器１８から伝搬時間差調整器２０へ伝送されることになる。
【００３８】
第２の支流において、スイッチ機構４１を閉じることで、伝送装置１５から発信され迂回線路１２を伝搬した信号光が伝送装置１６に到着し受信されることになる。この時、光カプラ１４で合波された信号光のビート干渉雑音を回避するため、波長変換器３７にて受信帯域以上に波長間隔を設けるように波長λ2を波長λ2’へと波長変換する。なお、伝送装置１６から発信された波長λ1の信号光は、伝搬時間差調整器２０においては、波長変換や遅延調整の処理を行わず第３の支流を通過する。
【００３９】
この結果、伝送装置１５より発信され、光カプラ１３で分岐された信号光が、現用線路１１と迂回線路１２をそれぞれ伝搬した後、再び光カプラ１４合波され、許容誤差以内で一致した２つの信号光が伝送装置１６に到着することになる。
【００４０】
図５は、第１の実施形態における伝搬時間差調整器２０の第２の構成を示すブロック図である。  
伝搬時間差調整器２０は、波長λ1の信号光を通過させる第３の支流と、波長λ2の信号光を第１の支流及び第２の支流に分岐し、第３の支流を通過した波長λ1の信号光を伝送装置１５へ出射する波長選択型カプラ５９と、第１の支流及び第２の支流を通過した測定光及び波長λ2の信号光を伝送装置１６へ出射し、光カプラ１４で分岐される波長λ1の信号光を第３の支流へ分岐する波長選択型カプラ６０と備える。
【００４１】
第１の支流には、波長λ2の信号光を、波長λ2とは異なる波長λMEAを有する測定光に波長変換する波長変換器３６が設けられる。
【００４２】
第２の支流には、波長λ2の信号光を、指定され設定可能な遅延量で遅延する可変遅延器３５と、波長λ2の信号光を波長λ2’の信号光に波長変換する波長変換器３７とが設けられる。
【００４３】
伝送装置１５から発信された波長λ2の信号光は、波長選択型カプラ５９により第１および第２の支流に選択的に出力され、光カプラ６１にて分岐された後、第１の支流において、スイッチ機構４０を閉じて、波長変換器３６にて伝搬時間差を測定するための波長λMEAの測定光へと波長変換される。
【００４４】
伝搬時間差測定器１８は、伝送装置１５から発信され現用線路１１を伝搬した波長λ2の信号光と、伝送装置１５から発信され迂回線路１２を伝搬し波長変換器３６にて変換された波長λMEAの測定光を比較することにより、現用線路１１と迂回線路１２の伝搬時間差ΔＴ２を算出する。その情報に従って伝搬時間差調整器２０の第２の支流にある可変遅延器３５の遅延量が調整される。伝搬時間差ΔＴ２を示す情報は、例えば制御回線を介して伝搬時間差測定器１８から伝搬時間差調整器２０へ伝送されることになる。
【００４５】
第２の支流において、スイッチ機構４１を閉じることで、伝送装置１５から発信され迂回線路を伝搬した信号光が伝送装置１６に到着し受信されることになる。この時、光カプラ１４で合波された際の信号光のビート干渉雑音を回避するため、波長変換器３７にて受信帯域以上に波長間隔が設けられるように波長λ2を波長λ2’へと波長変換する。なお、伝送装置１６から発信された波長λ1の信号光は、波長選択型カプラ６０により第３の支流へ選択的に出力され、伝搬時間差調整器２０においては、波長変換や遅延調整の処理を行わず通過する。
【００４６】
この結果、伝送装置１５より発信され、光カプラ１３で分岐された信号光が、現用線路１１と迂回線路１２をそれぞれ伝搬した後、再び光カプラ１４で合波され、許容誤差以内で一致した２つの信号光が伝送装置１６に到着することになる。
【００４７】
以上により、現用線路（第１の光通信線路）と迂回線路（第２の光通信線路）を用いた通信の二重化について、伝送装置１６から発信された波長λ１の信号光および、伝送装置１５から発信された波長λ2の信号光のいずれも、分岐された後現用線路１１と迂回線路１２を伝搬したそれぞれ信号光に対して伝搬時間差測定および調整をすることで、許容誤差以内で一致した通信の二重化が確立されることになる。
【００４８】
現用線路（第１の光通信線路）と迂回線路（第２の光通信線路）を用いた通信の二重化が確立された後、現用線路は切断され、光ファイバケーブルの割り入れ等により線路長が変化した新設線路が構築される。
【００４９】
（第２の実施形態）  
次に、本発明の第２の実施形態として、迂回線路（第２の光通信線路）と新設線路（第３の光通信線路）に係わる、通信の二重化について、図６から図１０を用いて説明する。
【００５０】
図６は、本発明における光通信切替システムの第２の実施形態の構成を示すブロック図である。  
同図において、２１は新たに構築された新設線路である。波長変換器２２、２３は、新設線路２１に介在され、光ファイバケーブルを新たに接続し新設線路２１を構築する前に、カプラ１３、１４の直前に設置する。
【００５１】
図７は、本発明の第２の実施形態における波長変換器２２の第１の構成を示すブロック図である。  
波長変換器２２は、光カプラ１３で分岐される波長λ2の信号光を通過させる第３の支流と、波長λ1の信号光を第１の支流及び第２の支流に分岐し、第３の支流を通過した波長λ2の信号光を伝送装置１６へ出射する光カプラ４３と、第１の支流及び第２の支流を通過した測定光及び波長λ1の信号光を伝送装置１５へ出射し、光カプラ１３で分岐される波長λ2の信号光を第３の支流へ分岐する光カプラ４２と備える。
【００５２】
第１の支流には、波長λ1の信号光を、波長λ1とは異なる波長λMEA'を有する測定光（試験光）に波長変換する波長変換器４４と、波長λ2の信号光の波長変換器４４への入射を遮断する光遮断器４５１とが設けられる。第２の支流には、波長λ2の信号光を遮断する光遮断器４５２が設けられる。第３の支流には、波長λ1の信号光を遮断する光遮断器３０が設けられる。
【００５３】
伝送装置１６から発信された波長λ1の信号光は、光カプラ４３にて分岐された後、第１の支流において、スイッチ機構４７を閉じて、波長変換器４４にて伝搬時間差を測定するための波長λMEAの測定光へと波長変換される。この時点では、波長λ1の信号光は各支流において、光遮断器４５１、４５２、４６にて遮断されており、波長変換器２２からは出力されない。
【００５４】
伝搬時間差測定器１７は、伝送装置１６から発信され分岐された後迂回線路１２および伝搬時間差調整器１９を伝搬した波長λ１の信号光と、伝送装置１６から発信され分岐された後新設線路１２を伝搬し波長変換器４４にて変換された波長λMEAの測定光を比較することにより、迂回線路１２と新設線路２１の伝搬時間差ΔＴ３を算出する。その情報に従って、伝搬時間差調整器１９の第２の支流にある可変遅延器２６の遅延量が調整される。伝搬時間差ΔＴ３を示す情報は、例えば制御回線を介して伝搬時間差測定器１７から伝搬遅延調整器１９へ伝送されることになる。
【００５５】
第２の支流において、スイッチ機構４８を閉じることで、伝送装置１６から発信され新設線路を伝搬した波長λ１の信号光が伝送装置１５に到着し受信されることになる。なお、伝送装置１５から発信された波長λ2の信号光は、波長変換器２２においては、波長変換や遅延調整の処理を行わず第３の支流を通過する。
【００５６】
この結果、伝送装置１６より発信され、光カプラ１４で分岐された信号光が、迂回線路１２と新設線路２１をそれぞれ伝搬した後、再び光カプラ１３で合波され、許容誤差以内で一致した２つの信号光が伝送装置１５に到着することになる。
【００５７】
図８は、第２の実施形態における波長変換器２２の第２の構成を示すブロック図である。  
波長変換器２２は、波長λ２の信号光を通過させる第３の支流と、波長λ１の信号光を第１の支流及び第２の支流に分岐し、第３の支流を通過した波長λ2の信号光を伝送装置１６へ出射する波長選択型カプラ６３と、第１の支流及び第２の支流を通過した測定光及び波長λ１の信号光を伝送装置１５へ出射し、光カプラ１３で分岐される波長λ２の信号光を第３の支流へ分岐する波長選択型カプラ６２と備える。
【００５８】
第１の支流には、波長λ１の信号光を、波長λ１とは異なる波長λMEA'を有する測定光に波長変換する波長変換器４４が設けられる。
【００５９】
伝送装置１６から発信された波長λ１の信号光は、波長選択型カプラ６３にて第１および第２の支流に出力され、第１の支流において、スイッチ機構４７を閉じて、波長変換器４４にて伝搬時間差を測定するための波長λMEA'の測定光へと波長変換される。
【００６０】
伝搬時間差測定器１７は、伝送装置１６から発信され分岐された後迂回線路１２および伝搬時間差調整器１９を経由した波長λ１の信号光と、伝送装置１６から発信され分岐された後新設線路２１を伝搬し波長変換器４４にて変換された波長λMEA'の測定光を比較することにより、迂回線路１２と新設線路２１の伝搬時間差ΔＴ３を算出する。その情報に従って、伝搬時間差調整器１９の第２の支流にある可変遅延器２６の遅延量が調整される。伝搬時間差ΔＴ３を示す情報は、例えば制御回線を介して伝搬時間差測定器１７から伝搬遅延調整器１９へ伝送されることになる。
【００６１】
第２の支流において、スイッチ機構４８を閉じることで、伝送装置１６から発信され新設線路を伝搬した波長λ１の信号光が伝送装置１５に到着し受信されることになる。なお、伝送装置１５から発信された波長λ2の信号光は、波長選択型カプラ６２にて選択的に第３の支流に出力され、波長変換器２２においては、波長変換や遅延調整の処理を行わず通過する。
【００６２】
この結果、伝送装置１６より発信され、光カプラ１４で分岐された信号光が、迂回線路１２と新設線路２１をそれぞれ伝搬した後、再び光カプラ１３で合波され、許容誤差以内で一致した２つの信号光が伝送装置１５に到着することになる。
【００６３】
図９は、第２の実施形態における波長変換器２３の第１の構成を示すブロック図である。  
波長変換器２３は、光カプラ１４で分岐される波長λ１の信号光を通過させる第３の支流と、波長λ２の信号光を第１の支流及び第２の支流に分岐し、第３の支流を通過した波長λ１の信号光を伝送装置１５へ出射する光カプラ４９と、第１の支流及び第２の支流を通過した測定光及び波長λ２の信号光を伝送装置１６へ出射し、光カプラ１４で分岐される波長λ１の信号光を第３の支流へ分岐する光カプラ５０と備える。
【００６４】
第１の支流には、波長λ２の信号光を、波長λ2とは異なる波長λMEA'を有する測定光（試験光）に波長変換する波長変換器５１と、波長λ１の信号光の波長変換器５１への入射を遮断する光遮断器５２１とが設けられる。第２の支流には、波長λ１の信号光を遮断する光遮断器５２２が設けられる。第３の支流には、波長λ２の信号光を遮断する光遮断器５３が設けられる。
【００６５】
伝送装置１５から発信され波長変換器２２を通過した波長λ2の信号光は、光カプラ４９にて分岐された後、第１の支流において、スイッチ機構５４を閉じて、波長変換器５１にて伝搬時間差を測定するための波長λMEA'の測定光へと波長変換される。この時点では、波長λ2の信号光は各支流において、光遮断器５２１、５２２、５３にて遮断されており、波長変換器２３からは出力されない。
【００６６】
伝搬時間差測定器１８は、伝送装置１５から発信され分岐された後迂回線路１２および伝搬時間差調整器２０を伝搬した波長λ２の信号光と、伝送装置１５から発信され分岐された後新設線路１２を伝搬し波長変換器５１にて変換された波長λMEA'の測定光を比較することにより、迂回線路１２と新設線路２１の伝搬時間差ΔＴ４を算出する。その情報に従って、伝搬時間差調整器２０の第２の支流にある可変遅延器３５の遅延量が調整される。伝搬時間差ΔＴ４を示す情報は、例えば制御回線を介して伝搬時間差測定器１８から伝搬時間差調整器２０へ伝送されることになる。
【００６７】
第２の支流において、スイッチ機構５５を閉じることで、伝送装置１５から発信され新設線路を伝搬した波長λ２の信号光が伝送装置１６に到着し受信されることになる。なお、伝送装置１５から発信された波長λ１の信号光は、波長変換器２３においては、波長変換や遅延調整の処理を行わず第３の支流を通過する。
【００６８】
この結果、伝送装置１５より発信され、光カプラ１３で分岐された信号光が、迂回線路１２と新設線路２１をそれぞれ伝搬した後、再び光カプラ１４で合波され、許容誤差以内で一致した２つの信号光が伝送装置１６に到着することになる。
【００６９】
図１０は、第２の実施形態における波長変換器２３の第２の構成を示すブロック図である。  
波長変換器２３は、波長λ１の信号光を通過させる第３の支流と、波長λ２の信号光を第１の支流及び第２の支流に分岐し、第３の支流を通過した波長λ１の信号光を伝送装置１５へ出射する波長選択型カプラ６５と、第１の支流及び第２の支流を通過した測定光及び波長λ2の信号光を伝送装置１６へ出射し、光カプラ１４で分岐される波長λ１の信号光を第３の支流へ分岐する波長選択型カプラ６６と備える。
【００７０】
第１の支流には、波長λ２の信号光を、波長λ2とは異なる波長λMEA’を有する測定光に波長変換する波長変換器５１が設けられる。
【００７１】
伝送装置１５から発信された波長λ2の信号光は、波長選択型カプラ６５にて第１および第２の支流に出力され、第１の支流において、スイッチ機構４７を閉じて、波長変換器５１にて伝搬時間差を測定するための波長λMEA’の測定光へと波長変換される。
【００７２】
伝搬時間差測定器１８は、伝送装置１５から発信され分岐された後迂回線路１２および伝搬時間差調整器１９を経由した波長λ２の信号光と、伝送装置１５から発信され分岐された後新設線路２１を伝搬し波長変換器５１にて変換された波長λMEAの測定光を比較することにより、迂回線路１２と新設線路２１の伝搬時間差ΔＴ４を算出する。その情報に従って、伝搬時間差調整器２０の第２の支流にある可変遅延器３５の遅延量が調整される。伝搬時間差ΔＴ４を示す情報は、例えば制御回線を介して伝搬時間差測定器１８から伝搬時間差調整器２０へ伝送されることになる。
【００７３】
第２の支流において、スイッチ機構５５を閉じることで、伝送装置１５から発信され新設線路を伝搬した波長λ２の信号光が伝送装置１６に到着し受信されることになる。なお、伝送装置１６から発信された波長λ１の信号光は、波長選択型カプラ６６にて選択的に第３の支流に出力され、波長変換器２３においては、波長変換や遅延調整の処理を行わず通過する。
【００７４】
この結果、伝送装置１６より発信され、光カプラ１４で分岐された信号光が、迂回線路１２と新設線路２１をそれぞれ伝搬した後、再び光カプラ１３で合波され、許容誤差以内で一致した２つの信号光が伝送装置１５に到着することになる。
【００７５】
以上により、迂回線路（第２の光通信線路）１２と新設線路（第３の光通信線路）２１を用いた通信の二重化について、伝送装置１６から発信された波長λ１の信号光および、伝送装置１５から発信された波長λ２の信号光のいずれも、分岐された後現迂回線路１２と新設線路２１を伝搬したそれぞれ信号光に対して伝搬時間差測定および調整をすることで、許容誤差以内で一致した通信の二重化が確立されることになる。
【００７６】
このようにして、光ファイバ切断による通信断を生じさせることなく通信経路を迂回線路１２から新設線路２１に移し替えることができる。
【００７７】
（第３の実施形態）  
第３の実施形態として、光カプラ１３、１４の近傍に設置される伝搬時間差測定器１７，１８、伝搬時間差調整器１９，２０および波長変換器２２，２３の設置位置に関する条件を説明する。
【００７８】
光カプラ１３から光カプラ１４までの距離、すなわち第１の光通信経路長をＬ１、伝搬時間差調整器１９から伝搬時間差調整器２０までの距離、すなわち第２の光通信経路長をＬ２、光カプラ１３から伝搬時間差調整器１９までの距離をＬ３、光カプラ１３から伝搬時間差測定器１７までの距離をＬ４、光カプラ１３から伝送装置１５までの距離をＬ５、光カプラ１４から伝搬時間差調整器２０までの距離をＬ６、光カプラ１４から伝搬時間差測定器１８までの距離をＬ７、光カプラ１４から伝送装置１６までの距離をＬ８とし、伝送装置１６から出射された波長λ１の信号光１の群速度をｖ１、伝搬時間差調整器１９で変換された波長λ１’の群速度をｖ１’、波長λＭＥＡの群速度をｖＭＥＡとしたとき、距離Ｌ３、Ｌ４、Ｌ５に起因する信号光１の二重化時における伝搬時間誤差ΔＫ１は次式によって表される。
【数１】
0006364336.tif 000002
【００７９】
これより、ΔＫ１が波長λ１の信号光１を受信する伝送装置１５の許容誤差以内になるような距離Ｌ３、Ｌ４、Ｌ５を満たすよう、光カプラ１３、伝搬時間差測定器１７、伝搬時間差調整器１９および伝送装置１５間の相対位置を設定する必要がある。
【００８０】
同様に、距離Ｌ６、Ｌ７、Ｌ８に起因する信号光２の二重化時における伝搬時間誤差ΔＫ２は次式によって表される。
【数２】
0006364336.tif 000003
【００８１】
ここで、ｖ２、をｖ２’はそれぞれ波長λ２およびλ２’の信号光２の群速度を表す。信号光２の通信二重化についても距離Ｌ６、Ｌ７、Ｌ８を満たすよう、光カプラ１４、伝搬時間差測定器１８、伝搬時間差調整器２０および伝送装置１６間の相対位置を設定する必要がある。
【００８２】
図１１は、現用線路１１から迂回線路１２への移し替えを行うためのフローチャートである。
まず、ステップＳＴ１１ａにおいて、光カプラ１３側にいる第１の作業者は、光カプラ１３に対し、二重化時における伝搬時間誤差ΔＫ１が許容誤差以内になる距離Ｌ３、Ｌ４、Ｌ５を満たすように、伝搬時間差測定器１７及び伝搬時間差調整器１９を接続したとする。また、光カプラ１４側にいる第２の作業者は、光カプラ１４に対し、二重化時における伝搬時間誤差ΔＫ２が許容誤差以内になる距離Ｌ６、Ｌ７、Ｌ８を満たすように、伝搬時間差測定器１８及び伝搬時間差調整器２０を接続して、迂回線路１２を構築したとする。
【００８３】
すると、伝搬時間差調整器１９と伝搬時間差調整器２０との間で迂回線路１２を介して通信が行われる。この通信が行われている状態で、第１の作業者は、伝搬時間差測定器１７及び伝搬時間差調整器１９にコンピュータ（図示せず）を接続し、コンピュータにより伝搬時間差調整器１９と伝搬時間差調整器２０と迂回線路１２とが正常に接続されていることを確認できたとする（ステップＳＴ１１ｂ）。
【００８４】
コンピュータは、伝搬時間差調整器１９の第１の支流にあるスイッチ３１を閉じて、伝送装置１６から発信された波長λ１の信号光を、光カプラ２５にて分岐された後、波長変換器２７にて伝搬時間差を測定するための波長λMEAの測定光へと波長変換させる（ステップＳＴ１１ｃ）。
【００８５】
続いて、コンピュータは、伝搬時間差測定器１７を制御して、伝送装置１６から発信され現用線路１１を伝搬した波長λ1の信号光と、伝送装置１６から発信され迂回線路１２を伝搬し波長変換器２７にて変換された波長λMEAの測定光を比較して、現用線路１１と迂回線路１２の伝搬時間差ΔＴ１を算出させて、伝搬時間差ΔＴ１を示す情報を、例えば制御回線を介して伝搬時間差調整器１９へ出力させる（ステップＳＴ１１ｄ）。
【００８６】
続いて、コンピュータは、伝搬時間差調整器１９を制御して、第２の支流にある可変遅延器２６の遅延量を伝搬時間差ΔＴ１に合わせて調整し（ステップＳＴ１１ｅ）、伝搬時間差調整器１９のスイッチ機構３２を閉じて、時間的遅延ΔＴ１が付与された波長λ１の信号光を波長λ１’に波長変換して出力させる（ステップＳＴ１１ｆ）。
【００８７】
同時に、第２の作業者は、伝搬時間差測定器１８及び伝搬時間差調整器２０にコンピュータ（図示せず）を接続し、コンピュータにより伝搬時間差調整器１９と伝搬時間差調整器２０と迂回線路１２とが正常に接続されていることを確認できたとする。
【００８８】
すると、コンピュータは、伝搬時間差調整器２０の第１の支流にあるスイッチ４０を閉じて、伝送装置１５から発信された波長λ２の信号光を、光カプラ３３にて分岐させた後、波長変換器３６にて伝搬時間差を測定するための波長λMEAの測定光へと波長変換させる（ステップＳＴ１１ｇ）。
【００８９】
続いて、コンピュータは、伝搬時間差測定器１８を制御して、伝送装置１５から発信され現用線路１１を伝搬した波長λ２の信号光と、伝送装置１５から発信され迂回線路１２を伝搬し波長変換器３６にて変換された波長λMEAの測定光を比較して、現用線路１１と迂回線路１２の伝搬時間差ΔＴ２を算出させて、伝搬時間差ΔＴ２を示す情報を、例えば制御回線を介して伝搬遅延調整器２０へ出力させる（ステップＳＴ１１ｈ）。
【００９０】
続いて、コンピュータは、伝搬時間差調整器２０を制御して、第２の支流にある可変遅延器３５の遅延量を伝搬時間差ΔＴ２に合わせて調整し（ステップＳＴ１１ｉ）、伝搬時間差調整器２０のスイッチ機構４１を閉じて、時間的遅延ΔＴ２が付与された波長λ２の信号光を波長λ２’に波長変換して出力させる（ステップＳＴ１１ｊ）。
【００９１】
以上により、現用線路（第１の光通信線路）と迂回線路（第２の光通信線路）を用いた通信の二重化について、伝送装置１６から発信された波長λ１の信号光および、伝送装置１５から発信された波長λ２の信号光のいずれも、分岐された後現用線路１１と迂回線路１２を伝搬したそれぞれ信号光に対して伝搬時間差測定および調整をすることで、許容誤差以内で一致した通信の二重化が確立されることになる（ステップＳＴ１１ｋ）。
【００９２】
現用線路（第１の光通信線路）と迂回線路（第２の光通信線路）を用いた通信の二重化が確立された後、第１の作業者もしくは第２の作業者は、現用線路１１を切断し、伝送装置１５、１６間で通信される信号光を、現用線路１１から迂回線路１２へ移し替える（ステップＳＴ１１ｌ）。
【００９３】
（第４の実施形態）  
第４の実施形態として、波長変換器２２，２３の設置位置に関する条件について説明する。  
波長変換器２２，２３の設置位置に関する条件は、波長変換器２２から波長変換器２３までの距離、すなわち第３の光通信経路長をＬ９、光カプラ１３から波長変換器２２までの距離をＬ１０、光カプラ１４から波長変換器２３までの距離をＬ１１とし、伝送装置１６から出射された波長λ１の信号光１が波長変換器２２で変換された波長λＭＥＡ’の群速度をｖＭＥＡ’としたとき、第２と第３の光通信経路を用いた信号光１の二重化時における伝搬時間誤差ΔＫ３は次式によって表される。
【数３】
0006364336.tif 000004
【００９４】
これより、ΔＫ３が信号光１を受信する伝送装置１５の許容誤差以内になるような距離Ｌ４、Ｌ５、Ｌ１０を満たすよう、波長変換器２２が設置される必要がある。
【００９５】
同様に、第２と第３の光通信経路を用いた信号光２の二重化時における伝搬時間誤差ΔＫ４は次式によって表される。
【数４】
0006364336.tif 000005
【００９６】
これより、ΔＫ４が信号光２を受信する伝送装置１６の許容誤差以内になるような距離Ｌ４、Ｌ５、Ｌ１１を満たすよう、波長変換器２３が設置される必要がある。
【００９７】
図１２は、迂回線路１２から新設線路２１への移し替えを行うためのフローチャートである。
【００９８】
まず、ステップＳＴ１２ａにおいて、光カプラ１３側にいる第１の作業者は、光カプラ１３に対し、二重化時における伝搬時間誤差ΔＫ３が許容誤差以内になる距離Ｌ１０を満たすように、波長変換器２２を接続したとする。また、光カプラ１４側にいる第２の作業者は、光カプラ１４に対し、二重化時における伝搬時間誤差ΔＫ４が許容誤差以内になる距離Ｌ１１を満たすように、波長変換器２３を接続して、新設線路２１を構築したとする。
【００９９】
すると、波長変換器２２と波長変換器２３との間で新設線路２１を介して通信が行われる。この通信が行われている状態で、第１の作業者は、伝搬時間差測定器１７及び伝搬時間差調整器１９及び波長変換器２２にコンピュータ（図示せず）を接続し、コンピュータにより波長変換器２２、２３と新設線路２１とが正常に接続されていることを確認できたとする（ステップＳＴ１２ｂ）。
【０１００】
コンピュータは、波長変換器２２の第１の支流にあるスイッチ４７を閉じて、伝送装置１６から発信された波長λ1の信号光を、光カプラ４３にて分岐させた後、波長変換器４４にて伝搬時間差を測定するための波長λMEA'の測定光へと波長変換させる（ステップＳＴ１２ｃ）。
【０１０１】
続いて、コンピュータは、伝搬時間差測定器１７を制御して、伝送装置１６から発信され迂回線路１２を伝搬した波長λ１の信号光と、伝送装置１６から発信され新設線路２１を伝搬し波長変換器４４にて変換された波長λMEA’の測定光を比較して、迂回線路１２と新設線路２１の伝搬時間差ΔＴ３を算出させて、伝搬時間差ΔＴ３を示す情報を、例えば制御回線を介して伝搬時間差調整器１９へ出力させる（ステップＳＴ１２ｄ）。
【０１０２】
続いて、コンピュータは、伝搬時間差調整器１９を制御して、第２の支流にある可変遅延器２６の遅延量を伝搬時間差ΔＴ３に合わせて調整し、伝搬時間差調整器１９のスイッチ機構３２を閉じて、時間的遅延ΔＴ３が付与された波長λ１の信号光を出力させる（ステップＳＴ１２ｅ）。
【０１０３】
同時に、第２の作業者は、伝搬時間差測定器１８及び伝搬時間差調整器２０及び波長変換器２３にコンピュータ（図示せず）を接続し、コンピュータにより波長変換器２３と新設線路２１とが正常に接続されていることを確認できたとする。
【０１０４】
すると、コンピュータは、波長変換器２３の第１の支流にあるスイッチ５４を閉じて、伝送装置１５から発信された波長λ2の信号光を、光カプラ４９にて分岐させた後、波長変換器５１にて伝搬時間差を測定するための波長λMEA'の測定光へと波長変換させる（ステップＳＴ１２ｆ）。
【０１０５】
続いて、コンピュータは、伝搬時間差測定器１８を制御して、伝送装置１５から発信され迂回線路１２を伝搬した波長λ2の信号光と、伝送装置１５から発信され新設線路２１を伝搬し波長変換器５１にて変換された波長λMEA’の測定光を比較して、現用線路１１と迂回線路１２の伝搬時間差ΔＴ４を算出させて、伝搬時間差ΔＴ４を示す情報を、例えば制御回線を介して伝搬時間差調整器２０へ出力させる（ステップＳＴ１２ｇ）。
【０１０６】
続いて、コンピュータは、伝搬時間差調整器２０を制御して、第２の支流にある可変遅延器３５の遅延量を伝搬時間差ΔＴ４に合わせて調整し、伝搬時間差調整器２０のスイッチ機構４１を閉じて、時間的遅延ΔＴ２が付与された波長λ２の信号光を波長λ２’に波長変換して出力させる（ステップＳＴ１２ｈ）。
【０１０７】
以上により、迂回線路（第２の光通信線路）１２と新設線路（第３の光通信線路）２１を用いた通信の二重化について、伝送装置１６から発信された波長λ１の信号光および、伝送装置１５から発信された波長λ２の信号光のいずれも、分岐された後迂回線路１２と新設線路２１を伝搬したそれぞれ信号光に対して伝搬時間差測定および調整をすることで、許容誤差以内で一致した通信の二重化が確立されることになる（ステップＳＴ１２ｉ）。
【０１０８】
迂回線路（第２の光通信線路）１２と新設線路（第３の光通信線路）２１を用いた通信の二重化が確立された後、第１の作業者もしくは第２の作業者は、迂回線路１２を切断し、伝送装置１５、１６間で通信される信号光を、迂回線路１２から新設線路２１へ移し替える（ステップＳＴ１２ｊ）。
【０１０９】
（第１乃至第４の実施形態による作用効果）  
第１乃至第４の実施形態によれば、現用線路１１と迂回線路１２とにより二重化を確立するときに、伝送装置１６から出射された波長λ１の信号光１の群速度ｖ１、伝搬時間差調整器１９で変換された波長λ１’の群速度ｖ１’、波長λＭＥＡの群速度ｖＭＥＡ、伝送装置１５から出射された波長λ２の信号光２の群速度ｖ２、伝搬時間差調整器２０で変換された波長λ２’の群速度ｖ２’をそれぞれ算出し、光カプラ１３に対し、伝送装置１５と、伝搬時間差測定器１７と、伝搬時間差調整器１９との間の相対位置を限定し、光カプラ１４に対し、伝送装置１６と、伝搬時間差測定器１８と、伝搬時間差調整器２０との間の相対位置を限定することで、伝搬速度に起因する誤差を許容遅延量以内に抑制できる。これにより、現用線路１１と迂回線路１２との二重化伝送路の区間長が長距離であっても、高精度に遅延量調整を行うことが可能となり、伝送データの欠落や伝送論理リンクのミスマッチを回避してサービスを継続できる。
【０１１０】
また、迂回線路１２と新設線路２１とにより二重化を確立するときに、光カプラ１３に対し、波長変換器２２との間の相対位置を限定し、光カプラ１４に対し、波長変換器２３との間の相対位置を限定することで、伝搬速度に起因する誤差を許容遅延量以内に抑制でき、迂回線路１２と新設線路２１との二重化伝送路の区間長が長距離であっても、高精度に遅延量調整を行うことが可能となる。
【０１１１】
（その他の実施形態）  
なお、この発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【０１１２】
１１…現用線路、１２…迂回線路、１３、１４…光カプラ、１５、１６…伝送装置、１７、１８…伝搬時間差測定器、１９、２０…伝搬時間差調整器、２１…新設線路、２２、２３…波長変換器、２４、２５…光カプラ、２６…可変遅延器、２７、２８…波長変換器、２９１、２９２、３０…光遮断器、３１、３２…スイッチ機構、３３、３４…光カプラ、３５…可変遅延器、３６、３７…波長変換器、３８、３９…光遮断器、４０、４１…スイッチ機構、４２、４３…光カプラ、４４…波長変換器、４５１、４５２、４６…光遮断器、４７，４８…スイッチ機構、４９、５０…光カプラ、５１…波長変換器、５２、５３…光遮断器、５４，５５…スイッチ機構、５６、５７…波長選択型カプラ、５８…光カプラ、５９、６０…波長選択型カプラ、６１…光カプラ、６２、６３…波長選択型カプラ、６４…光カプラ、６５、６６…波長選択型カプラ、６７…光カプラ。
【図１】
0006364336.tif 000010
【図２】
0006364336.tif 000011
【図３】
0006364336.tif 000012
【図４】
0006364336.tif 000013
【図５】
0006364336.tif 000014
【図６】
0006364336.tif 000015
【図７】
0006364336.tif 000016
【図８】
0006364336.tif 000017
【図９】
0006364336.tif 000018
【図１０】
0006364336.tif 000019
【図１１】
0006364336.tif 000020
【図１２】
0006364336.tif 000021